(57)【要約】【課題】車載機能に関して設定または選択されている情報を乗員が容易に確認できる表示画像を生成する技術を提供する。【解決手段】ボタン画像生成部１２は、機能ボタンの表示画像を生成する。機能画像生成部１４は、表示装置２０に表示された機能ボタンが操作されると、機能ボタンに対応する機能に関する第１機能画像を生成する。機能画像生成部１４が、第１機能画像とは別の第２機能画像を生成するとき、ボタン画像生成部１２は、機能ボタンに対応する機能に関して設定または選択されている情報を、機能ボタンの表示画像に含める。【選択図】図１
2019166926.tif 000002
【特許請求の範囲】
【請求項１】
表示装置の表示を制御する車載表示制御装置であって、
機能ボタンの表示画像を生成するボタン画像生成部と、
表示装置に表示された前記機能ボタンが操作されると、前記機能ボタンに対応する機能に関する第１機能画像を生成する機能画像生成部と、を備え、
前記機能画像生成部が、前記第１機能画像とは別の第２機能画像を生成するとき、前記ボタン画像生成部は、前記機能ボタンに対応する機能に関して設定または選択されている情報を、前記機能ボタンの表示画像に含める、
ことを特徴とする車載表示制御装置。
【発明の詳細な説明】
【技術分野】
【０００１】
本発明は、車両に搭載される表示装置の表示を制御する技術に関する。
【背景技術】
【０００２】
特許文献１は、液晶表示パネルと、空気調和装置に作動指令信号を出力するための複数の操作スイッチと、液晶表示パネルに表示される画像を空気調和装置の制御状態画像とこれ以外の車載電装品群の出力画像との中から選択するためのセレクトスイッチとを備える自動車用空気調和装置のモニタ装置を開示する。
【先行技術文献】
【特許文献】
【０００３】
【特許文献１】特開平１０−８６７６２号公報
【発明の概要】
【発明が解決しようとする課題】
【０００４】
特許文献１に開示されたモニタ装置においては、空気調和装置の制御状態画像がセレクトスイッチの操作により別の出力画像に切り替えられると、制御状態画像が非表示となり、ユーザは、設定または選択された空気調和装置の情報を確認できない。空気調和装置に関して設定または選択された情報を確認するためには、ユーザは再度セレクトスイッチを操作して、空気調和装置の制御状態画像を表示させなければならず、面倒であった。
【０００５】
本発明はこうした状況に鑑みてなされたものであり、その目的は、車載機能に関して設定または選択されている情報をユーザが容易に確認できるようにする技術を提供することにある。
【課題を解決するための手段】
【０００６】
上記課題を解決するために、本発明のある態様は、表示装置の表示を制御する車載表示制御装置であって、機能ボタンの表示画像を生成するボタン画像生成部と、表示装置に表示された機能ボタンが操作されると、機能ボタンに対応する機能に関する第１機能画像を生成する機能画像生成部と、を備える。機能画像生成部が、第１機能画像とは別の第２機能画像を生成するとき、ボタン画像生成部は、機能ボタンに対応する機能に関して設定または選択されている情報を、機能ボタンの表示画像に含める。
【０００７】
この態様によると、第１機能画像が非表示の状態にあるとき、機能ボタンに対応する機能に関して設定または選択されている情報を機能ボタンの表示画像に含めることで、ユーザは、第１機能画像を再表示させることなく、設定または選択されている情報を確認できる。
【発明の効果】
【０００８】
本発明によれば、機能ボタンに対応する車載機能に関して設定または選択されている情報をユーザが容易に確認できる技術を提供できる。
【図面の簡単な説明】
【０００９】
【図１】実施形態の車載表示システムの構成を示す図である。
【図２】表示装置に表示される画像の一例を示す図である。
【図３】表示装置に表示される画像の別の例を示す図である。
【発明を実施するための形態】
【００１０】
図１は、実施形態の車載表示システム１の構成を示す。車載表示システム１は、車載表示制御装置１０、表示装置２０、タッチパッド２２および操作受付部２４を備える。車載表示制御装置１０は、表示装置２０の表示を制御する機能を備え、ボタン画像生成部１２、機能画像生成部１４および画像合成部１６を有する。表示装置２０は前席正面部の中央に設けられ、液晶パネルや有機ＥＬパネルで構成されてよい。
【００１１】
タッチパッド２２は、乗員であるユーザによりタッチされたポイントを検出する機能をもち、操作受付部２４は、タッチパッド２２が検出したポイントの座標を、ユーザ操作として受け付ける。タッチパッド２２は透明材料により形成されて、表示装置２０の表面に重ねて配置されてよく、このとき表示装置２０およびタッチパッド２２は、タッチパネルを構成する。なおタッチパッド２２は、たとえば運転座席の側方のセンターコンソールなどに配置されてもよい。この場合、ユーザはタッチパッド２２をタッチして、表示装置２０に表示されるカーソルを動かすことで、表示された機能ボタンの選択や、パラメータや項目の設定、選択などを行う。
【００１２】
車載表示制御装置１０は、車両に搭載された機器やアプリケーションなどにより実現される車載機能に関する画像を表示装置２０に表示させる。車載機能は、たとえば空調装置による空調機能、カーナビゲーションシステムによるナビ機能、音楽再生アプリによる音楽再生機能、電話機能などを含む。それ以外に、ラジオ放送受信機能や、テレビ放送受信機能などを含んでもよい。表示装置２０は、各機能に対応する機能ボタンを所定の第１表示領域に並べて表示し、いずれかの機能ボタンが選択操作されると、選択された機能ボタンに対応する機能に関する画像を所定の第２表示領域に表示する。
【００１３】
図２は、表示装置２０に表示される画像の一例を示す。表示装置２０の表示エリアは、複数の機能ボタンの表示画像を表示するボタン画像表示領域３０と、ボタン画像表示領域３０においてユーザ操作により選択された機能ボタンに対応する機能に関する画像（機能画像）を表示する機能画像表示領域４０とに分割される。ボタン画像表示領域３０と機能画像表示領域４０は、固定された領域であってよいが、サイズを可変とする領域であってもよい。
【００１４】
車載表示制御装置１０は、表示装置２０に表示する画像を生成する。ボタン画像生成部１２は、ボタン画像表示領域３０に表示するための複数の機能ボタンの表示画像を生成する。図２に示す表示画面で、ボタン画像生成部１２は、空調設定ボタン３２ａ、ナビ設定ボタン３２ｂ、音楽再生ボタン３２ｃ、電話機能ボタン３２ｄ、その他ボタン３２ｅの表示画像を生成する。以下、空調設定ボタン３２ａ、ナビ設定ボタン３２ｂ、音楽再生ボタン３２ｃ、電話機能ボタン３２ｄ、その他ボタン３２ｅを特に区別しない場合、まとめて「機能ボタン３２」と呼ぶ。
【００１５】
表示装置２０に表示された機能ボタン３２のいずれかが選択操作されると、機能画像生成部１４は、選択操作された機能ボタン３２に対応する機能に関する機能画像であって、ユーザ操作を受け付け可能な機能画像を生成する。画像合成部１６は、ボタン画像生成部１２により生成された機能ボタン３２の表示画像と、機能画像生成部１４により生成された機能画像とをフレームメモリに書き込み、表示装置２０から表示させる。
【００１６】
空調設定ボタン３２ａは、空調機能に関する画像、具体的にはユーザが空調機能のパラメータを設定または選択するための画像を機能画像表示領域４０に表示させるためのボタンである。図２に示す表示画面では、空調設定ボタン３２ａが選択されており、ボタン画像生成部１２は、空調設定ボタン３２ａの表示画像を、選択された状態であることを示す態様で生成する。空調設定ボタン３２ａが選択されると、機能画像生成部１４は、空調機能のパラメータを設定または選択するための空調設定画像４１を生成して、画像合成部１６が、空調設定画像４１を機能画像表示領域４０に表示させる。
【００１７】
空調設定画像４１には、ユーザ操作可能な様々なグラフィカルユーザインタフェース（ＧＵＩ）を表示するＧＵＩ表示領域４２が設けられる。ＧＵＩ表示領域４２に表示されるＧＵＩのうち、ＡＵＴＯスイッチは、冷房、暖房の切り替えや、風向、風量等を自動で調節する機能をオン／オフするためのスイッチであり、Ａ／Ｃスイッチは、冷房、除湿機能をオン／オフするためのスイッチである。この例では、ＡＵＴＯスイッチとＡ／Ｃスイッチとがオン状態にされている。
【００１８】
空調設定画像４１の横幅中央部分には、風量を調節するための風量調節ＧＵＩ４７と、現在の設定風量４６とが表示される。風量調節ＧＵＩ４７の右側には、運転席に対する空調設定に関するＧＵＩが表示され、左側には、助手席に対する空調設定に関するＧＵＩが表示される。
【００１９】
温度調節ＧＵＩ４４ａは運転席の温度を調節するためのＧＵＩであり、ユーザは上矢印または下矢印を操作することで温度を調節する。温度調節ＧＵＩ４４ａの上方には、運転席の現在の設定温度４３ａが表示される。風向インジケータ４５ａは、運転席に対する風向を示す。同様に、温度調節ＧＵＩ４４ｂは助手席の温度を調節するためのＧＵＩであり、温度調節ＧＵＩ４４ｂの上方には、助手席の現在の設定温度４３ｂが表示される。風向インジケータ４５ｂは、助手席に対する風向を示す。
【００２０】
ユーザは、空調設定画像４１が機能画像表示領域４０に表示されている状態で、タッチパッド２２を操作して、空調機能に関するパラメータを設定または選択する。ユーザが設定または選択したパラメータは、空調装置（図示せず）に供給されて、空調パラメータが変更される。
【００２１】
実施形態では、ユーザが空調パラメータを設定、選択した後、ナビ設定ボタン３２ｂを選択操作する。ナビ設定ボタン３２ｂは、ナビゲーション機能に関する画像、具体的にはユーザが目的地を設定または選択するための画像を機能画像表示領域４０に表示させるためのボタンである。
【００２２】
図３は、表示装置２０に表示される画像の別の例を示す。図２に示した表示画面と同様に、表示装置２０の表示エリアが、ボタン画像表示領域３０と機能画像表示領域４０とに分割される。図３に示す表示画面では、ナビ設定ボタン３２ｂが選択されており、ボタン画像生成部１２は、ナビ設定ボタン３２ｂの表示画像を、選択された状態であることを示す態様で生成する。ナビ設定ボタン３２ｂが選択されると、機能画像生成部１４は、ナビゲーション機能に関する画像であって、ユーザ操作を受け付け可能なナビ設定画像５０を生成して、画像合成部１６が、ナビ設定画像５０を機能画像表示領域４０に表示させる。
【００２３】
ナビ設定画像５０の左側には、目的地検索の条件を選択するためのジャンルボタン５２ａ、お気に入りボタン５２ｂ、履歴ボタン５２ｃ、その他ボタン５２ｄが並べて配置される。この例では、ユーザがジャンルボタン５２ａを選択しており、機能画像生成部１４が、検索条件の選択肢の右側に、検索ジャンルを選択するためのガソリンスタンドボタン５４ａ、レストランボタン５４ｂ、カフェボタン５４ｃ、ショッピングボタン５４ｄの表示画像を生成している。
【００２４】
ユーザがナビ設定ボタン３２ｂを選択したことによって、機能画像生成部１４が、空調設定画像４１（図２参照）とは別のナビ設定画像５０（図３参照）を生成するとき、ボタン画像生成部１２は、空調設定ボタン３２ａに対応する機能に関して設定または選択されている情報を、空調設定ボタン３２ａの表示画像に含める。
【００２５】
図３に示す空調設定ボタン３２ａの表示画像には、運転者に対する空調の設定情報が含まれている。具体的に空調設定ボタン３２ａの表示画像は、空調の設定温度を示す温度情報６０、運転者に対する風向きを示す風向インジケータ６２、およびＡＵＴＯスイッチがオン状態になっていることを示すＡＵＴＯスイッチ情報６４とを含んでいる。
【００２６】
ユーザは空調設定ボタン３２ａの表示画像に含まれる温度情報６０、風向インジケータ６２、ＡＵＴＯスイッチ情報６４を見ることで、現在の空調の設定温度、風向き、自動制御モードにあることを認識できる。ボタン画像生成部１２が、空調設定ボタン３２ａの表示画像に、空調機能に関する少なくとも一部の情報を含めることで、ユーザは、空調設定ボタン３２ａを選択操作しなくても、空調設定ボタン３２ａの表示画像に表示された情報を少なくとも確認できる。
【００２７】
なお図３に示す空調設定ボタン３２ａは、当然のことながらボタンとしての機能を有しており、ユーザは、空調機能に関する詳細な情報を確認したければ、空調設定ボタン３２ａを選択操作して、図２に示す空調設定画像４１を表示装置２０に表示させればよい。なお空調設定画像４１が表示装置２０に表示されている間、空調機能に関して設定または選択されている情報は空調設定画像４１に含まれているため、ボタン画像生成部１２は、空調設定ボタン３２ａの表示画像に、かかる情報を含ませなくてよい。
【００２８】
以上、本発明を実施形態をもとに説明した。本発明は、上述の実施形態に限定されるものではなく、当業者の知識に基づいて各種の設計変更等の変形を加えることも可能である。
【００２９】
実施形態では、空調設定ボタン３２ａが選択されていないときに、空調設定ボタン３２ａの表示画像に、空調機能に関して設定または選択されている情報の一部を含ませることを説明した。変形例では、他の機能ボタン３２についても、同様の表示処理を行ってもよい。たとえば図２では、空調設定ボタン３２ａが選択された状態を示しているが、ボタン画像生成部１２は、ナビ設定ボタン３２ｂの表示画像に、ナビ機能に関して設定または選択された情報、たとえば目的地情報を含ませてもよい。
【符号の説明】
【００３０】
１・・・車載表示システム、１０・・・車載表示制御装置、１２・・・ボタン画像生成部、１４・・・機能画像生成部、１６・・・画像合成部、２０・・・表示装置。
【図１】
2019166926.tif 000003
【図２】
2019166926.tif 000004
【図３】
2019166926.tif 000005